【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
第一スライド部材と；
該第一スライド部材へ滑動可能に連結され、該第一スライド部材に対して引き出しかつ押し戻すことのできる第二スライド部材と；
該第二スライド部材を該第一スライド部材に対して連結及び取りはずしすることを可能にする、該第二スライド部材へ連結されたラッチと；
該第二スライド部材を該第一スライド部材から取りはずすことを可能にしているラッチを移動するための、該第一スライド部材へ連結されたガイドタブと；を具備するスライドにおいて：該ガイドタブは、該第一スライド部材の端部に延伸していて、そして該第一スライド部材の切欠きを通って移動可能であり、該切欠きは該第一スライド部材の端部に延伸している；
スライド。
【請求項２】
該ガイドタブの少なくとも一部分が、該第一スライド部材の端部を越えて延伸していて、該第一スライド部材の端部から該第一スライド部材が延伸している、請求項１に記載のスライド。
【請求項３】
該第二スライド部材は該第一スライド部材に対して延伸されていて、該ガイドタブが該ラッチをおおって延伸しており、該ガイドタブを押すことにより該ラッチが該第二スライド部材を該第一スライド部材から取りはずすことを可能にしている、請求項１に記載のスライド。
【請求項４】
第一スライド部材と；
該第一スライド部材へ滑動可能に連結され、該第一スライド部材に対して引き出しかつ押し戻すことのできる第二スライド部材と；
該第二スライド部材を該第一スライド部材に対して連結及び取りはずしすることを可能にする、該第二スライド部材へ連結されたラッチと；
該第二スライド部材を該第一スライド部材から取りはずすことを可能にしているラッチを移動するための、該第一スライド部材へ連結されたガイドタブと；を具備するスライドにおいて：
該第二スライド部材が該第一スライド部材に対して延伸される場合、該ガイドタブは該ラッチをおおって延伸し、押しつけられた該ガイドタブは、該第二スライド部材を該第一スライド部材から取りはずすようになっている該ラッチを押し；そして
該第一スライド部材は、細長いウェブと、該ウェブの両側から延伸しているレグとを具備している細長い部材であって、該第一スライド部材の該ウェブと該レグとがチャンネルを形成していて、該ウェブが、該ウェブの端部へ延伸している切欠きを具備しており、該ウェブの端部から第二スライド部材が延伸していて、該ガイドタブは前記切欠きをおおって延伸している；
スライド。
【請求項５】
該第二スライド部材は、細長いウェブと、該ウェブの両側から延伸しているレグとを具備している細長い部材であって、該第二スライド部材の該ウェブと該レグとがチャンネルを形成していて、該第一及び該第二スライド部材が滑動可能に連結される場合、該第一スライド部材の該チャンネルが該第二スライド部材のチャンネルと対面するようになっており、該第二スライド部材が該第一スライド部材に対して完全に延伸した場合、該ラッチの少なくとも一部分は、該第一スライド部材の該ウェブに形成された該切欠きの中に位置するようになっている、請求項４に記載のスライド。
【請求項６】
該ガイドタブがガイドブロックから延伸していて；
該ガイドブロックは：
ウェブ部分と；
該ウェブ部分から横断的に延伸している、離間した二つのレグ部分と；を具備していて；
該ウェブ部分から該ガイドタブが該二つのレグ部分の間に延伸している；請求項５に記載のスライド。
【請求項７】
該切欠きから離間している、該第一スライド部材の該ウェブを貫通して形成された開口部をさらに具備していて；該ガイドブロックの該ウェブ部分が該第一スライド部材を貫通して形成された該開口部に収容されており；該ガイドブロックの各レグ部分が、該第一スライド部材のレグに隣接した該第一スライド部材のチャンネルの中に取りつけられていて；該ガイドタブが該第一スライド部材のチャンネルの外側から該切欠きをおおって延伸している；請求項６に記載のスライド。
【請求項８】
該ガイドブロックのウェブ部分の対向しているエッジが、該第一スライド部材のウェブの対応するエッジに隣接しかつ対面していて、該ガイドブロックのウェブ部分を該開口部に長手方向に保持するための該開口部を形成している、請求項７に記載のスライド。
【請求項９】
該ガイドブロックのレグ部分各々が、該第一スライド部材のレグと該第二スライド部材のレグとの間に配置されている、請求項８に記載のスライド。
【請求項１０】
該第一スライド部材のレグ各々が、該チャンネル内に凹断面を有する凹状内表面を備えていて、該ガイドブロックのレグ部分各々が、凸断面を有する凸状外側表面を備えており、該第一スライド部材のレグ各々の凹状内表面が、該ガイドブロックのレグ部分各々の凸状外側表面を収容している、請求項９に記載のスライド。
【請求項１１】
該第二スライド部材のレグ各々が、凹断面を有する凹状外表面を備えていて、該ガイドブロックのレグ部分各々が、凸断面を有する凸状内側表面を備えており、該第二スライド部材が該第一スライド部材に対して滑動する場合、該凸状内側表面各々が、該第二スライド部材のレグの対応する凹状外表面の中に収容される、請求項１０に記載のスライド。
【請求項１２】
該第二スライド部材のレグ各々が、凹断面を有する凹状外表面を備えていて、該ガイドブロックのレグ部分各々が、凸断面を有する凸状内側表面を備えており、該第二スライド部材が該第一スライド部材に対して滑動する場合、該凸状内側表面各々が、該第二スライド部材のレグの対応する凹状外表面の中に収容される、請求項９に記載のスライド。
【請求項１３】
該ガイドブロックの該ウェブ部分から最も離れた、該ガイドブロックのレグ部分各々の該内側表面の端部が平らである、請求項１２に記載のスライド。
【請求項１４】
該ガイドブロックの該ウェブ部分に近接した、該ガイドブロックのレグ部分各々の該内側表面の端部が平らである、請求項１３に記載のスライド。
【請求項１５】
リップ表面が、該ガイドブロックのレグ部分各々から横断的に延伸している、請求項１４に記載のスライド。
【請求項１６】
ウェブと、該ウェブの両側から横断的に延伸しているレグとを有している玉軸受の保持器をさらに具備していて；
該玉軸受は該保持器のレグ各々により収容されていて、該玉軸受の保持器は該第一スライド部材へ滑動可能に連結されていて、該玉軸受は該第一スライド部材の該凹状内表面に支えられており、該玉軸受の保持器のウェブは該第一スライド部材の該ウェブをおおって滑動するようになっていて、該第二スライド部材が該第一スライド部材に対して滑動するとき、該第二スライド部材のレグの凹状外表面は該玉軸受を収容しており、該玉軸受の保持器のウェブは、該第一スライド部材のウェブに最も近い第一表面と、該第一表面に対向している第二表面とを有している；請求項１５に記載のスライド。
【請求項１７】
ガイドブロックのレグ部分各々の該リップ表面が、該第一スライド部材のウェブから測定した該玉軸受の保持器の第二表面の高さレベルより低くない、該第一スライド部材の該ウェブから測定した高さレベルへ延伸している、請求項１６に記載のスライド。
【請求項１８】
該第一スライド部材のウェブの中央部分が、該第一スライド部材のウェブの外表面に対して押し下げられていて、かつ該第一スライド部材の該チャンネルの中へ突出しており、該ガイドブロックの該ウェブ部分の一部は、該ガイドブロックのウェブ部分の外表面に対して押し下げられている、請求項１７に記載のスライド。
【請求項１９】
リップ表面が、該ガイドブロックのレグ部分各々から横断的に延伸している、請求項７に記載のスライド。
【請求項２０】
ウェブと、該ウェブの両側から横断的に延伸しているレグとを有している玉軸受の保持器をさらに具備していて；
該玉軸受は該保持器のレグ各々により収容されていて、該玉軸受の保持器は該第一スライド部材へ滑動可能に連結されていて、該玉軸受は該第一スライド部材の該凹状内表面に支えられており、該玉軸受の保持器のウェブは該第一スライド部材の該ウェブをおおって滑動するようになっていて、該第二スライド部材が該第一スライド部材に対して滑動するとき、該第二スライド部材のレグの凹状外表面は該玉軸受を収容しており、該玉軸受の保持器のウェブは、該第一スライド部材のウェブに最も近い第一表面と、該第一表面に対向している第二表面とを有している；請求項１９に記載のスライド。
【請求項２１】
ガイドブロックのレグ部分各々の該リップ表面が、該第一スライド部材のウェブから測定した該玉軸受の保持器の第二表面の高さレベルより低くない、該第一スライド部材の該ウェブから測定した高さレベルへ延伸している、請求項２０に記載のスライド。
【請求項２２】
該第一スライド部材のウェブの中央部分が、該第一スライド部材のウェブの外表面に対して押し下げられていて、かつ該第一スライド部材の該チャンネルの中へ突出しており、該ガイドブロックの該ウェブ部分の一部は、該ガイドブロックのウェブ部分の外表面に対して押し下げられている、請求項７に記載のスライド。
【請求項２３】
該ガイドタブが該ガイドブロックに対して曲がっている、請求項６に記載のスライド。
【請求項２４】
第一スライド部材と；
該第一スライド部材へ滑動可能に連結され、該第一スライド部材に対して引き出しかつ押し戻すことのできる第二スライド部材と；
該第二スライド部材を該第一スライド部材に対して連結及び取りはずしすることを可能にする、該第二スライド部材へ連結されたラッチと；
該第二スライド部材を該第一スライド部材から取りはずすことを可能にしているラッチを移動するための、該第一スライド部材へ連結されたガイドタブと；を具備するスライドにおいて：
該ガイドタブがガイドブロックから延伸していて、該ガイドブロックは、ウェブ部分と、該ウェブ部分から横断的に延伸している離間した二つのレグ部分とを具備していて、該ガイドタブが該ウェブ部分から延伸している；
スライド。
【請求項２５】
該ガイドタブが該二つのレグ部分の間に延伸している請求項２４に記載のスライド。
【請求項２６】
該第一スライド部材が、ウェブ部分と、該ウェブ部分の反対側から延伸している二つのレグ部分とを具備していて、そして該ガイドブロックの該レグ部分は該スライド部材の該レグ部分と係合されている、請求項２４に記載のスライド。